(57)【要約】【課題】  複数のディスプレイを複数のユーザが共用する環境において、各ユーザの好みや視聴環境に合わせて自動的に画質を調整することができる画質調整装置およびディスプレイシステムを提供する。【解決手段】  ユーザＩＤとディスプレイＩＤと画質調整値とを関連付けてなる画質調整プロファイルを、プリセットメモリに格納しておく。ユーザがある表示装置を視聴しようとした場合、そのユーザのユーザＩＤとその表示装置のディスプレイＩＤを取得する。そして、それらのＩＤと一致するＩＤを含む画質調整プロファイルをプリセットメモリから読み出し、そのプロファイルに含まれる画質調整値に基づいて表示装置に対する画質調整処理を実行する。【選択図】  図３
2005229352.tif 000002
【特許請求の範囲】
【請求項１】
複数のディスプレイに接続可能な画質調整装置であって、
ユーザを特定するためのユーザＩＤと、ディスプレイを特定するためのディスプレイＩＤと、ディスプレイの画質調整に用いる画質調整情報と、を関連付けてなる画質調整プロファイルを複数記憶可能な記憶手段と、
ディスプレイを視聴しようとするユーザのユーザＩＤとその視聴対象ディスプレイのディスプレイＩＤとを取得するＩＤ取得手段と、
前記ＩＤ取得手段により取得されたＩＤと一致するユーザＩＤおよびディスプレイＩＤを含む画質調整プロファイルを前記記憶手段から読み出し、その画質調整プロファイルに含まれる画質調整情報に基づいて前記視聴対象ディスプレイに対する画質調整処理を実行する処理手段と、
を備えることを特徴とする画質調整装置。
【請求項２】
前記画質調整プロファイルでは、前記画質調整情報にさらに映像属性が関連付けられており、
前記処理手段は、
映像に関する情報を表すメタデータが付された映像信号が前記視聴対象ディスプレイに表示される際に、
前記ＩＤ取得手段により取得されたＩＤと一致するユーザＩＤおよびディスプレイＩＤを含み、且つ、前記映像信号に付されたメタデータに含まれる情報と一致する映像属性を含む画質調整プロファイルを前記画質調整処理に用いることを特徴とする請求項１記載の画質調整装置。
【請求項３】
前記記憶手段は、１つ以上の画質調整プロファイルと関連付けて映像信号を記憶可能であって、
前記処理手段は、
前記記憶手段に記憶された映像信号が前記視聴対象ディスプレイに表示される際に、
前記映像信号に関連付けられた画質調整プロファイルの中から、前記ＩＤ取得手段により取得されたＩＤと一致するユーザＩＤおよびディスプレイＩＤを含む画質調整プロファイルを選び、その画質調整プロファイルを前記画質調整処理に用いることを特徴とする請求項１記載の画質調整装置。
【請求項４】
前記画質調整プロファイルが前記映像信号に埋め込まれていることを特徴とする請求項３記載の画質調整装置。
【請求項５】
複数のディスプレイと、
前記複数のディスプレイに接続された画質調整装置と、を備え、
前記画質調整装置は、
ユーザを特定するためのユーザＩＤと、ディスプレイを特定するためのディスプレイＩＤと、ディスプレイの画質調整に用いる画質調整情報と、を関連付けてなる画質調整プロファイルを複数記憶可能な記憶手段と、
ディスプレイを視聴しようとするユーザのユーザＩＤとその視聴対象ディスプレイのディスプレイＩＤとを取得するＩＤ取得手段と、
前記ＩＤ取得手段により取得されたＩＤと一致するユーザＩＤおよびディスプレイＩＤを含む画質調整プロファイルを前記記憶手段から読み出し、その画質調整プロファイルに含まれる画質調整情報に基づいて前記視聴対象ディスプレイに対する画質調整処理を実行する処理手段と、
を備えることを特徴とするディスプレイシステム。
【発明の詳細な説明】
【技術分野】
【０００１】
本発明は、ディスプレイの画質調整に関する。
【背景技術】
【０００２】
従来、テレビ受信機には画質調整機能が標準的に備えられており、ユーザは予め用意された画質調整項目（明るさ、コントラスト、色の濃さ、シャープネス、色温度、記憶色など）を調整することにより、お好みの画質に調整することができるようになっている。この画質調整操作は、放送番組の場合は、視聴している番組を見ながら、また、ＤＶＤやハードディスクなどの記録再生装置の場合は、記録された映像を再生表示しながら、上記画質調整項目の調整を繰り返すことで最適な画質の設定を行っている。
【０００３】
このような画質調整操作は、一般的に煩雑な操作であり、毎回視聴のたびにこの操作を繰り返すことは、ユーザにとって大きな負担になることが多い。そこで、ユーザの負担を軽減するために、様々な対応が考慮されている。
【０００４】
現在製品化されている商品の中には、一度設定した画質調整値を不揮発性のメモリにプリセットし、プリセットされた情報をユーザがマニュアルで選択することでその調整値をいつでも復元できるようにしたものがある。また、特許文献１には、入力映像ソース（ＴＶチューナ、カーナビゲーション、ＶＴＲなど）と画質調整値を関連づけてプリセットメモリに記憶しておく方法が開示されている。更には、特許文献２に、放送から取得できる番組情報と画質調整値を関連づけてプリセットメモリに記憶しておく方法が開示されている。いずれの場合も、プリセットされた情報をユーザがマニュアルで選択することなく、調整値と関連付けた条件に合致すれば、自動でその調整値を復元できるようにしたものである。
【特許文献１】特開平７−２７４０９０号公報
【特許文献２】特開２００２−１５８９４１号公報
【発明の開示】
【発明が解決しようとする課題】
【０００５】
カーナビゲーションのケースにおいては、ほぼ特定の個人ユーザが車を独占して使う場合が多い。また、一般家庭でのアナログ放送のテレビ視聴スタイルにおいては、画質調整にこだわるユーザが一家に一人位しかいない場合が多い。上記従来技術は、このような特定ユーザに対して画質調整の負担を軽減する目的で適用する場合には好適な手段といえる。
【０００６】
しかしながら、最近は、放送のデジタル化により高精細かつ高品位な映像が一般家庭でも楽しむことができるようになり、且つ、その流れと並走するようにフラットパネル（液晶、ＰＤＰ）などの大画面化、高精細化、高画質化が進展し、一般ユーザの画質への関心やこだわりも高くなっている。このため、将来的な家庭のテレビ視聴スタイルは、複数のユーザがそれぞれにお好みの画質へ調整するケースも増えることが予想される。従って、このような環境においても、一度設定した調整値を他のユーザにより不意に変更されることで、再調整する煩わしさをなくすように更なる改善が必要となる。
【０００７】
また、昨今ハードディスクレコーダなどの家電商品の普及により、大画面ディスプレイはリビングに、小型のディスプレイは寝室などの各部屋に設置し、各ディスプレイへの映像は、共通の映像ホームサーバなどから配信するような使い方が期待されている。これにより、今までのように映像を１つのディスプレイで視聴するのではなく、生活シーンに応
じて視聴場所を選択し複数のディスプレイで視聴するような視聴スタイルに変化することが予想される。
【０００８】
ディスプレイは、種別が異なれば、輝度特性、発光特性、輝度や色再現の範囲などが異なる。例えば、リビングのディスプレイで調整した調整値は、寝室のディスプレイでは明るすぎたりする場合もある。仮に、ディスプレイの種別が同じだとしても、リビングは明るいので明るさを上げた調整をしたが、寝室では部屋を暗めにして見ることが多いので、もっと明るさを下げたいなどの違いが生じる。
【０００９】
つまり、上記のような複数のディスプレイ環境での画質調整値は、“どのディスプレイ”を見ながら、“だれ”が“どのような映像”に対して調整したかが重要であって、このような生活シーンによる視聴スタイルの変化にも対応できる画質調整方法が要求されている。
【００１０】
本発明は上記実情に鑑みてなされたものであって、その目的とするところは、複数のディスプレイを複数のユーザが共用する環境において、各ユーザの好みや視聴環境に合わせて自動的に画質を調整することができる画質調整装置およびディスプレイシステムを提供することにある。
【課題を解決するための手段】
【００１１】
本発明の一態様に係る画質調整装置は、複数のディスプレイに接続可能な画質調整装置であって、ユーザを特定するためのユーザＩＤと、ディスプレイを特定するためのディスプレイＩＤと、ディスプレイの画質調整に用いる画質調整情報と、を関連付けてなる画質調整プロファイルを複数記憶可能な記憶手段と、ディスプレイを視聴しようとするユーザのユーザＩＤとその視聴対象ディスプレイのディスプレイＩＤとを取得するＩＤ取得手段と、前記ＩＤ取得手段により取得されたＩＤと一致するユーザＩＤおよびディスプレイＩＤを含む画質調整プロファイルを前記記憶手段から読み出し、その画質調整プロファイルに含まれる画質調整情報に基づいて前記視聴対象ディスプレイに対する画質調整処理を実行する処理手段と、を備える。
【００１２】
また、本発明の一態様に係るディスプレイシステムは、複数のディスプレイと、前記複数のディスプレイに接続された画質調整装置と、を備え、前記画質調整装置は、ユーザを特定するためのユーザＩＤと、ディスプレイを特定するためのディスプレイＩＤと、ディスプレイの画質調整に用いる画質調整情報と、を関連付けてなる画質調整プロファイルを複数記憶可能な記憶手段と、ディスプレイを視聴しようとするユーザのユーザＩＤとその視聴対象ディスプレイのディスプレイＩＤとを取得するＩＤ取得手段と、前記ＩＤ取得手段により取得されたＩＤと一致するユーザＩＤおよびディスプレイＩＤを含む画質調整プロファイルを前記記憶手段から読み出し、その画質調整プロファイルに含まれる画質調整情報に基づいて前記視聴対象ディスプレイに対する画質調整処理を実行する処理手段と、を備える。
【発明の効果】
【００１３】
本発明によれば、あるユーザがあるディスプレイを視聴しようとする際に、そのユーザおよびそのディスプレイに応じた適切な画質調整処理が実行される。したがって、複数のディスプレイを複数のユーザが共用する環境においても、各ユーザの好みや視聴環境に合わせて自動的に画質を調整することが可能となる。
【発明を実施するための最良の形態】
【００１４】
以下に図面を参照して、この発明の好適な実施の形態を例示的に詳しく説明する。
【００１５】
＜第１の実施形態＞
図１は、本発明の第１の実施形態に係るディスプレイシステムの機能ブロック図である。
【００１６】
このディスプレイシステムは、概略、受信装置１、第１表示装置９、第２表示装置１５の３つのブロックから構成される。受信装置１は、放送局から放送される映像信号や記録再生部２１から入力される映像信号を、少なくとも１つ以上の表示装置（ディスプレイ）へ配信するサーバー装置としての機能を有する。また、受信装置１は、表示装置に表示する画質を調整する画質調整装置としての機能を有する。第１表示装置９と第２表示装置１５は、受信装置１から配信された映像信号を表示するディスプレイ装置としての機能を有する。第１表示装置９と第２表示装置１５は種別の異なるディスプレイ（例えば、第１表示装置９はＰＤＰ（Plasma Display Panel）、第２表示装置１５はＬＣＤ（Liquid Crystal Display）など）でも構わない。
【００１７】
本実施形態では、受信装置１、第１表示装置９、第２表示装置１５が、それぞれ物理的に離れた部屋に設置（例えば、受信装置１と第１表示装置９はリビング、第２表示装置１５は寝室など）された、いわゆる親機、子機テレビシステムのようなシステム形態を想定している。なお、表示装置の数は２つに限らず、１つまたは２つより多くても良い。
【００１８】
（受信装置）
まず、受信装置１の構成について説明する。
【００１９】
受信装置１はアンテナ２でＢＳ／ＣＳ／地上波デジタル放送を受波する。本実施形態ではデジタル放送を例示しているが、アナログ地上波、光ケーブルなどから映像信号を受信しても良い。
【００２０】
選局部３１，３２は、放送信号を帯域フィルタ、ダウンコンバータなどに通した後、放送種別の伝送形態に合致した復調処理を施すと共に、誤り訂正処理などを行い、所望のＭＰＥＧ２トランスポートストリーム（以下、ＴＳという）を生成する。このＴＳは多重分離部４１，４２に受け渡される。
【００２１】
多重分離部４１，４２は、ＴＳから、所望の番組のＭＰＥＧ２映像データ、ＭＰＥＧ２音声データ、および、付加情報を分離する。
【００２２】
分離されたＭＰＥＧ２音声データは音声デコーダ（図示せず）で復号され、オーディオ信号として出力される。この出力端子にアンプ、スピーカーを接続すれば受信した番組の音声を聞くことが出来る。
【００２３】
分離されたＭＰＥＧ２映像データは、映像処理部５１，５２で復号され、ラスタースキャン形式のベースバンドの表示フォーマットに変換される。さらに映像データは、放送映像ソースとして表示装置の解像度に合わせた解像度変換、Ｉ／Ｐ変換などの処理が施された後に、画質調整部６１，６２に受け渡される。
【００２４】
多重分離部４１，４２で分離された付加情報は、信号線Ｓ０を通じてシステム制御部８へ受け渡される。その付加情報がＢＳデジタル放送で運用されているデータ放送の場合は、システム制御部８はＢＭＬ（Broadcast Markup Language）スクリプト言語を解釈し、
マルチメディア情報サービス提供者のコンテンツシナリオを得ることができる。また、付加情報がＥＰＧ（Electrical Program Guide）情報の場合は、システム制御部８はＰＳＩ（Program Specific Information；番組特定情報）／ＳＩ（Service Information；番組
配列情報）を解釈し番組情報（例えば、番組、放送時間、タイトル、カテゴリなどの、映
像に関する情報を表すメタデータ）を得ることができる。
【００２５】
受信装置１の画質調整部６１，６２は、映像データに対して画質調整処理を実行する画質調整手段である。この画質調整部６１，６２では、明るさ、コントラスト、色の濃さ、シャープネス、色温度、記憶色などの画質調整項目が用意されており、ユーザの好みに応じて柔軟な画質調整が可能である。
【００２６】
システム制御部８は本システム全体を制御する制御手段であり、演算能力を持つＣＰＵ、データを一時格納するＲＡＭ、制御プログラムを格納するＲＯＭ、時間を計測するカウンタ、周辺入出力インターフェース等を有している（いずれも図示せず）。また、システム制御部８は論理ロジックのみで構成されていても、ＣＰＵや並列演算が可能なメディアプロセッサであってもよい。制御プログラムはＲＯＭに内蔵されていてもよいし、周辺入出力インターフェースを介して外部から転送されてもよい。また、ＲＯＭには必要に応じて文字フォントなどが格納されており、文字情報を画面に展開するときに使用される。
【００２７】
プリセットメモリ７は、フラッシュメモリなどの書き換え可能な不揮発性のメモリデバイスにより構成された記憶装置であり、電源ＯＦＦ後も必要なシステムデータを記憶している。
【００２８】
記録再生部２１は、ハードディスクやＤＶＤのような記録装置を有しており、映像信号（映像データ）の記録／再生が可能である。映像信号の記録／再生は、システム制御部８により制御される。記録時には、システム制御部８が多重分離部４１，４２から記録対象のＴＳ（ＰＴＳ）を取り出して、そのデータを記録再生部２１に書き込む。また再生時には、システム制御部８が記録再生部２１から再生対象のＴＳ（ＰＴＳ）を読み出し、そのデータを映像処理部５１，５２に引き渡す。
【００２９】
受信装置１からの２系統の映像信号は、第１，第２ディスプレイインタフェースを介して第１表示装置９と第２表示装置１５に配信される。ディスプレイインタフェースは、片方向通信でも、コマンド通信が可能な双方向通信でもよい。また、有線、無線は問わない。
【００３０】
（表示装置）
次に、第１表示装置９，第２表示装置１５の構成について説明する。
【００３１】
受信装置１から配信された映像データは、表示補正部１０，１６に入力される。表示補正部１０，１６は、表示部１２，１８の特性に応じたディスプレイ依存の信号処理（逆ガンマ変換、色変換、色再現補正、階調制御など）を行う。ここでの出力は、表示制御部１１，１７に受け渡される。
【００３２】
表示制御部１１，１７は、表示部１２，１８の種別に応じた駆動制御など行う。表示部１２，１８は表示パネルであり、マトリクス電極構造を持つフラットパネル（ＬＣＤ、ＰＤＰ、ＦＥＤ（Field Emission Display）、ＳＥＤ（Surface-conduction Electron-emitter Display）等）でも、ＣＲＴ（Cathode Ray Tube）でも、画像を表示可能なデバイス
であれば何でも良い。
【００３３】
制御部１３，１９は、第１表示装置９，第２表示装置１５の全体を制御する制御手段である。表示装置の制御部１３，１９と受信装置１のシステム制御部８とは双方向通信線Ｓ１，Ｓ２で接続されている。制御部１３，１９は不揮発性メモリを備えており、そのメモリ内に表示装置ごとに固有の識別情報を格納している。この表示装置の識別情報を“ディスプレイＩＤ”と定義する。
【００３４】
ユーザ識別部１４，２０は、表示装置を視聴（利用）しようとするユーザの識別を行う部分である。ユーザ識別方法に関しては種々のものを採用可能である。例えば、個人情報が予め登録されているマイリモコン、ＵＩカード（User Interface Card）、ＲＦタグ（Radio Frequency Tag）、携帯電話などからユーザ識別部１４，２０への通知方式、或いは、音声や指紋などのバイオメトリクス情報認識によるユーザ識別方式、更には、パソコンで一般的なユーザログイン方式などが想定される。もちろん、これらに限らず、表示装置を視聴しようとするユーザを特定できさえすれば、他のどのような方式を採用して構わない。なお、この種の個人情報、バイオメトリクス情報、ログインＩＤなどのユーザを特定するための識別情報を“ユーザＩＤ”と定義する。
【００３５】
（画質調整処理）
以下、図２のフローチャートを参照して、ディスプレイシステムにおける画質調整処理を説明する。
【００３６】
表示装置を視聴しようとするユーザは、まず、その視聴対象の表示装置にログインする（以下、第１表示装置９を視聴する場合について説明する。）。具体的には、ユーザが第１表示装置９に対してログイン要求を与えると、制御部１３がメモリから自身のディスプレイＩＤを読み出すとともに（ステップＳ１００）、ユーザ識別部１４を制御して上述したいずれかの識別方法によりユーザＩＤを取得する（ステップＳ１０１）。なお、ログイン要求は、例えば、ユーザが表示装置やリモコン等のスイッチを操作して、表示装置の表示をＯＮにしたり、明示的なログイン要求を入力したりすることで、与えられる。
【００３７】
ステップＳ１０２では、制御部１３が上記ディスプレイＩＤとユーザＩＤを、双方向通信線Ｓ１を通じて受信装置１のシステム制御部８に通知する。これにより、受信装置１のシステム制御部８は、第１表示装置９を視聴しようとするユーザのユーザＩＤと視聴対象である第１表示装置９のディスプレイＩＤとを取得することができる。つまり、本実施形態では、システム制御部８が本発明のＩＤ取得手段に対応する。
【００３８】
次に、ユーザが第１表示装置９にて視聴メディアを選択すると、制御部１３が双方向通信線Ｓ１を通じて選択信号をシステム制御部８に送信する（ステップＳ１０３）。視聴メディアが放送系の場合は、システム制御部８は、選局部３１のチューナ制御により放送番組を切り替え、選択された番組の映像信号を第１表示装置９に配信する。これにより、第１表示装置９に放送映像が表示される。
【００３９】
ユーザが第１表示装置９やリモコンのスイッチを操作して画質調整要求を行うと、制御部１３が双方向通信線Ｓ１を通じて画質調整要求信号をシステム制御部８に送信する。システム制御部８は、画質調整要求信号を受信すると（ステップＳ１０４：ＹＥＳ）、画質調整用ＯＳＤ（On Screen Display）画面を映像に合成出力する。
【００４０】
ユーザは、第１表示装置９に表示された画質調整用ＯＳＤ画面で画質調整操作を行うことができる（ステップＳ１０５）。この画質調整操作は前述したように、明るさ、コントラスト、色の濃さ、シャープネス、色温度、記憶色などの多種多様な画質調整項目を調整するものである。画質調整操作が終了した場合、ステップＳ１０６にて、ユーザに対して調整項目をプリセットするかをどうかの確認を行う。プリセットする場合は、システム制御部８は、ステップＳ１０７にて、画質調整プロファイルを作成する。
【００４１】
この画質調整プロファイルは、少なくとも、ユーザを特定するためのユーザＩＤと、表示装置を特定するためのディスプレイＩＤと、表示装置の画質調整に用いる画質調整値（画質調整情報）とが関連付けられた情報である。このように、画質調整値をユーザＩＤお
よびディスプレイＩＤとともに管理するのは、どのユーザが、どの表示装置で画質調整値を設定したかが重要であるからである。つまり、ユーザの好み、表示装置の視聴環境、表示装置の表示特性などに応じて、個別に画質調整プロファイルを用意することができるのである。
【００４２】
さらに本実施形態では、画質調整値に映像属性（メディア属性）を関連付けて管理することとした。これにより、映像の内容や種類などに応じて異なる画質調整値を設定することも可能となる。
【００４３】
画質調整プロファイルの管理の具体例を、図３に示す。この例では、デジタル放送を例にして説明したため、映像属性は前述したＳＩ情報から取得できる番組カテゴリとしたが、番組タイトルそのものや、更には、画質調整を行った時の時間属性（視聴環境が明所、暗所により画質調整への影響があるため。）と関連付けても構わない。
【００４４】
画質調整プロファイルは、ステップＳ１０８にて、図３で示したような構造テーブル記述でプリセットメモリ７に格納される。図３の例では、４つの画質調整プロファイルがプリセットされており、ユーザ、ディスプレイおよびメディア属性の組み合わせに応じて、異なる画質調整値が設定されていることがわかる。なお、本実施形態では、プリセットメモリ７が本発明の記憶手段に対応している。
【００４５】
以上の画質調整操作は、ステップＳ１０９にて、視聴場所でのログアウトがされるまでは何度でも再設定することが可能である。
【００４６】
次に、プリセットされた画質調整プロファイルを用いて自動的に画質調整を行う場合の処理について説明する。
【００４７】
ユーザＩＤとディスプレイＩＤを取得する処理、視聴メディアを選択する処理は、上述したステップＳ１００〜Ｓ１０３と同様である。
【００４８】
ステップＳ１０４にてユーザからの画質調整要求がなかった場合、システム制御部８は自動による画質調整処理を実行する。まず、システム制御部８は、ステップＳ１０２で取得したユーザＩＤおよびディスプレイＩＤと、プリセットメモリ７に格納された各画質調整プロファイルのユーザＩＤおよびディスプレイＩＤとを比較する（ステップＳ１１０）。
【００４９】
ここで、ＩＤが一致する画質調整プロファイルがなければ（ステップＳ１１１：ＮＯ）、システム制御部８は、プリセットメモリ７に予め格納されているデフォルト調整値を読み出し、その調整値を画質調整部６１に引き渡す。画質調整部６１は、受け取ったデフォルト調整値に基づいて（したがって）映像処理部５１からの映像信号に画像処理を施す。このようにして、デフォルト調整値が第１表示装置９の映像に反映される（ステップＳ１１４）。
【００５０】
一方、ＩＤが一致する画質調整プロファイルがあった場合には（ステップＳ１１１：ＹＥＳ）、システム制御部８は、視聴対象番組（映像信号）に付されたメタデータに含まれる情報と、画質調整プロファイルのメディア属性とが一致するか否かを判断する（ステップＳ１１２）。図３の例では、現在選択されている放送番組のＳＩ情報を取得し、画質調整プロファイルのメディア属性にプリセットされているＳＩ情報との比較によりなされる。
【００５１】
メディア属性が一致したら（ステップＳ１１２：ＹＥＳ）、システム制御部８は、その
画質調整プロファイルに含まれる画質調整値を画質調整部６１に引き渡す。画質調整部６１は、受け取った画質調整値に基づいて（したがって）映像処理部５１からの映像信号に画像処理を施す。このようにして、ユーザにより設定された画質調整値が第１表示装置９の映像に反映され（ステップＳ１１３）、ユーザのお好みの画質が復元される。
【００５２】
一方、メディア属性が一致しなかった場合には（ステップＳ１１２：ＮＯ）、システム制御部８は上記と同様にデフォルト調整値を反映させる（ステップＳ１１４）。
【００５３】
なお、本実施形態では、システム制御部８および画質調整部６１（６２）が本発明の処理手段に対応する。
【００５４】
以上述べた本実施形態によれば、あるユーザがある表示装置を視聴しようとする際には、そのユーザがその表示装置に対して過去に設定した画質調整値が自動的に反映される。したがって、複数の表示装置を複数のユーザが共用する環境においても、各ユーザの好みや視聴環境に合わせて自動的に画質を調整することが可能となる。
【００５５】
また、ユーザＩＤの一致により画質調整を制御しているために、他のユーザが設定した調整値が誤って反映されたり、また、他のユーザが視聴した後に自分用の調整操作をやり直したりするような煩わしさからユーザを解放することができる。
【００５６】
さらに、本実施形態では、画質調整値と映像属性（メディア属性）とを関連付けているので、視聴対象映像の内容や種類などに応じて最適な画質調整を自動的に切り替えることが可能となる。
【００５７】
＜第２の実施形態＞
第１の実施形態では、放送映像に対して本発明の画質調整方法を適用した例を説明したが、第２の実施形態では、記録再生装置からの再生映像に適用した例について説明する。なお、ディスプレイシステムの構成など、第１の実施形態のものと共通している部分については、同一の符号を用いて、その詳しい説明を省略する。
【００５８】
（画質調整処理）
以下、図２のフローチャートを参照して、本実施形態のディスプレイシステムにおける画質調整処理を説明する。（一部、第１の実施形態と共通なステップがあるので相違点に着目して説明する。）
【００５９】
ユーザが第１表示装置９にログインした場合に、システム制御部８がステップＳ１００〜Ｓ１０２にてディスプレイＩＤとユーザＩＤを双方向通信線Ｓ１を通じて取得する点は同様である。
【００６０】
次に、ユーザが第１表示装置９にて視聴メディアを選択すると、制御部１３が双方向通信線Ｓ１を通じて選択信号をシステム制御部８に送信する（ステップＳ１０３）。視聴メディアが記録再生装置の場合、システム制御部８は、記録再生部２１の映像を再生し、その再生映像を第１表示装置９に配信する。これにより、第１表示装置９に再生映像が表示される。
【００６１】
ここで、ユーザからの画質調整要求があった場合には、第１の実施形態と同様、ステップＳ１０４〜Ｓ１０５にて画質調整操作を行わせ、ステップＳ１０６にてユーザに対して調整項目をプリセットするかをどうかの確認を行う。プリセットする場合は、システム制御部８は、ステップＳ１０７にて、画質調整プロファイルを作成する。
【００６２】
ここでの画質調整プロファイルの管理方法は、第１の実施形態の管理方法と異なる。具体的には、第１の実施形態では画質調整プロファイルにメディア属性を含めていたのに対し、本実施形態では、メディア属性を含まない画質調整プロファイルを映像信号に関連付けて管理する。これは、放送映像の場合とは異なり、再生時の映像はいつも同一であるためである。
【００６３】
また、第１の実施形態では画質調整プロファイルをプリセットメモリ７に格納したのに対し、本実施形態では、画質調整プロファイルを映像信号に埋め込み、映像信号と一緒に記録再生部２１に格納する（ステップＳ１０８）。すなわち、本実施形態では、記録再生部２１が本発明の記憶手段に対応する。
【００６４】
図４に画質調整プロファイルの一例を示す。図４の例では、通常の映像データ領域にヘッダー拡張を行いユーザ領域を定義すると共に、このユーザ領域にユーザＩＤとディスプレイＩＤとそれに関連付けられた画質調整値を画質調整プロファイルとして埋め込んでいる。画質調整プロファイルは１つの映像信号（映像データ領域）に対して複数個埋め込むことができる（図４では２つ埋め込まれている）。
【００６５】
また、記録再生部２１に記録された映像データは番組ごとやシーンごとに複数の映像データを記録することが可能である。よって、映像データ領域が複数存在する場合には、それに応じて個々の映像ごとにユーザ領域を設け、各ユーザ領域に画質調整プロファイルを埋め込んでも良い。
【００６６】
以上の画質調整操作は、ステップＳ１０９にて、視聴場所でのログアウトがされるまでは何度でも再設定することが可能である。
【００６７】
次に、映像信号に埋め込まれた画質調整プロファイルを用いて自動的に画質調整を行う場合の処理について説明する。
【００６８】
ステップＳ１０４にてユーザからの画質調整要求がなかった場合、システム制御部８は自動による画質調整処理を実行する。まず、システム制御部８は、ステップＳ１０２で取得したユーザＩＤおよびディスプレイＩＤと、視聴対象の映像信号に埋め込まれている（記録再生部２１から読み出した）各画質調整プロファイルのユーザＩＤおよびディスプレイＩＤとを比較する（ステップＳ１１０）。
【００６９】
ここで、ＩＤが一致する画質調整プロファイルがなければ（ステップＳ１１１：ＮＯ）、システム制御部８は、プリセットメモリ７に予め格納されているデフォルト調整値に基づいて画質調整を行い、映像を再生する（ステップＳ１１４）。
【００７０】
一方、ＩＤが一致する画質調整プロファイルがあった場合には（ステップＳ１１１：ＹＥＳ）、システム制御部８は、その画質調整プロファイルに含まれる画質調整値を画質調整部６１に引き渡す。画質調整部６１は、受け取った画質調整値に基づいて（したがって）映像処理部５１からの映像信号に画像処理を施す。このようにして、ユーザにより設定された画質調整値が第１表示装置９における再生映像に反映され（ステップＳ１１３）、ユーザのお好みの画質が復元される。
【００７１】
以上述べた本実施形態の構成によっても、第１の実施形態と同様の作用効果を奏することができる。しかも、本実施形態によれば、放送映像だけでなく、記録再生装置からの再生映像にも本画質調整方法が適用できる。
【００７２】
記録した映像への画質調整は、ユーザが編集作業を行い、画質調整を施した状態で再び
ＤＶＤなどの記録媒体に書き込むことが一般的である。この場合、次回再生時には画質調整されたデータしか再生できなくなる。このため、ユーザごとに異なる画質調整を行う場合は、ユーザごとに記録媒体を複数用意しなければならなかったり、更に後で画質調整をやり直したい場合は、オリジナルデータを別の記憶媒体にバックアップしておかなければならないなどの不都合な問題が生じる。
【００７３】
これに対して、本実施形態によれば、映像信号のユーザ領域に画質調整プロファイルを埋め込んでいるので、オリジナルデータはそのままで、ユーザごとに調整値を追加したり、後から何度も調整の変更を行うことができる。これにより、１つの記録媒体のみで複数ユーザの画質調整値の共有が実現できるという利点がある。
【図面の簡単な説明】
【００７４】
【図１】ディスプレイシステムの機能ブロック図である。
【図２】画質調整処理のフローチャートである。
【図３】放送映像を対象とした画質調整プロファイルの一例である。
【図４】記録映像を対象とした画質調整プロファイルの一例である。
【符号の説明】
【００７５】
１  受信装置
７  プリセットメモリ
８  システム制御部
９  第１表示装置
１４  ユーザ識別部
１５  第２表示装置
２０  ユーザ識別部
２１  記録再生部
５１，５２  映像処理部
６１，６２  画質調整部
【図１】
2005229352.tif 000003
【図２】
2005229352.tif 000004
【図３】
2005229352.tif 000005
【図４】
2005229352.tif 000006